(57)【要約】      （修正有）【課題】熱風装置と冷却装置の両方の機能を兼ね備え、スペースを有効利用でき、加熱または冷却時、アーバーを移動させる必要がない熱風式アーバーヒーターを提供する。【解決手段】熱風式アーバーヒーターは、ベース１０と、置き台２０と、支持部材３０と、熱風装置４０と、冷却装置５０を有し、ベースの一側に置き部１１が設けられ、他側に調整部１２が設けられ、置き台はベースの置き部に設置され、支持部材はベースの調整部に設置される。熱風装置は支持部材に取り付けられ、熱風送入端及び熱風送出端を備えるホットエアガン４２と、ホットエアガンの熱風送出端４２２に連接されると共に、内部にチャンバーが形成され、上部に空気進入口がチャンバー連通するように形成される加熱カバー４３と、錐状カバーであり、外周面に複数の通気穴が形成される空気均一化カバーを備える。冷却装置は、加熱カバーのチャンバーと連通するように熱風装置に取り付けられる。【選択図】図１
0003214754.tif 000002
【実用新案登録請求の範囲】
【請求項１】
一側に置き部が設けられ、他側に調整部が設けられるベースと、
前記ベースの置き部に設置される置き台と、
前記ベースの調整部に設置される支持部材と、
前記支持部材に取り付けられると共に、熱風送入端及び熱風送出端を備えるホットエアガンと、該ホットエアガンの熱風送出端に連接されると共に、内部にチャンバーが形成され、上部に空気進入口がチャンバーと連通するように形成される加熱カバーと、錐状カバーであり、外周面に複数の通気穴が形成される空気均一化カバーを備える、熱風装置と、
前記加熱カバーのチャンバーと連通するように熱風装置に取り付けられる、冷却装置とを有することを特徴とする熱風式アーバーヒーター。
【請求項２】
前記冷却装置は、濾過器及び冷風パイプを備え、該濾過器は、案内パイプを介して熱風装置と連通するように取り付けられ、該冷風パイプは、冷却空気送入端を介して案内パイプと連通すると共に、冷却空気送出端を介して加熱カバーの空気進入口の上方に位置するように熱風装置に取り付けられ、該冷却空気送出端からの風が空気進入口を通してチャンバーに送られることを特徴とする請求項１に記載の熱風式アーバーヒーター。
【請求項３】
前記調整部に細長状の調整穴が横方向に形成され、
前記支持部材は、調整穴に沿って移動可能にベースに設置される移動部材を備えることを特徴とする請求項２に記載の熱風式アーバーヒーター。
【請求項４】
前記移動部材は、貫通穴と、結合ブロックと、２つの固定ボルトを備え、該貫通穴は、横方向へ移動可能にベースの調整穴に取り付けられ、上下方向に貫通する２つの固定穴が間隔をおいて形成され、該結合ブロックは、貫通穴の下方に対応するようにベースの底部に取り付けられ、該結合ブロックにおける２つの貫通穴に対応する箇所にそれぞれネジ穴が形成され、該２つの固定ボルトはそれぞれ、貫通穴の固定穴及び調整穴を通って結合ブロックのネジ穴に螺合されることを特徴とする請求項３に記載の熱風式アーバーヒーター。
【請求項５】
前記移動部材は、２本のガイド棒を備え、
前記支持部材は、高さ調整部材を備え、該高さ調整部材は、２本のガイド棒に環装するように、上下移動可能に移動部材に取り付けられることを特徴とする請求項４に記載の熱風式アーバーヒーター。
【請求項６】
前記高さ調整部材は、摺動部と、クランププレートと、ばねを備え、該摺動部は、２本のガイド棒に環装され、該摺動部の底面に当接凹部が凹設され、該クランププレートは、一方のガイド棒に環装されると共に、当接凹部に位置するように枢動可能に摺動部に取り付けられ、該ばねは、摺動部の当接凹部とクランププレートとの間に取り付けられることを特徴とする請求項５に記載の熱風式アーバーヒーター。
【請求項７】
前記支持部材は、高さ調整補助部材を備え、該高さ調整補助部材は、カバーと、組立部と、調節バネを備え、該カバーは、貫通穴と同期に移動すると共に、ガイド棒の周囲の一部をカバーするように貫通穴に固定され、該組立部は、２本のガイド棒の上端に固定され、該調節バネは、一端が延出して摺動部と連接するように組立部の内部に巻き取られることを特徴とする請求項６に記載の熱風式アーバーヒーター。
【請求項８】
前記熱風装置は、加熱カバーの周囲に保護フードが配置され、該保護フードは、上下方向に間隔をおいて配置するように隙間を構成する、複数の保護バーを備えることを特徴とする請求項１乃至７の何れか1項に記載の熱風式アーバーヒーター。
【考案の詳細な説明】
【技術分野】
【０００１】
本考案は、特に熱風を用いてアーバーを加熱する熱風式アーバーヒーターに関するものである。
【背景技術】
【０００２】
既存のアーバーは、切削工具をしっかりと取り付けるために、アーバーの上面に装着穴が凹設され、該装着穴の内径は、切削工具の直径よりも小さいことから、切削工具を交換する時、熱膨張や冷間圧縮を利用して、アーバーを加熱して装着穴を広げれば、切削工具を取り外して他の切削工具と交換することができる。
【０００３】
既存のアーバーを加熱する方法は、電気ヒーターを用いてアーバーを所定の温度に加熱することにより、装着穴の内径を広げ、切削工具を交換するものである。その後、切削工具とアーバーを冷却機構へ移動させ、冷却機構により冷却し、装着穴の内径を小さくすれば、切削工具をアーバーの装着穴に強固に嵌め込むことができる。
【先行技術文献】
【特許文献】
【０００４】
【特許文献１】特開2017-18198号公報
【考案の概要】
【考案が解決しようとする課題】
【０００５】
しかしながら、既存のアーバーの切削工具を交換する場合、アーバーを電気ヒーターで加熱してから切削工具と共に冷却機構へ移動させる必要があるため、操作上非常に不便であり、また、電気ヒーターと冷却機構とが個別に設置されることから、それぞれの設置スペースが必要であると共に、操作も別々に行うことから、非常に不便であり、改良する必要があった。
【課題を解決するための手段】
【０００６】
本考案に係る熱風式アーバーヒーターは、
一側に置き部が設けられ、他側に調整部が設けられるベースと、
前記ベースの置き部に設置される置き台と、
前記ベースの調整部に設置される支持部材と、
前記支持部材に取り付けられると共に、熱風送入端及び熱風送出端を備えるホットエアガンと、該ホットエアガンの熱風送出端に連接されると共に、内部にチャンバーが形成され、上部に空気進入口がチャンバーと連通するように形成される加熱カバーと、錐状カバーであり、外周面に複数の通気穴が形成される空気均一化カバーを備える、熱風装置と、
前記加熱カバーのチャンバーと連通するように熱風装置に取り付けられる、冷却装置とを有するものである。
【０００７】
かかる熱風式アーバーヒーターにおいて、
前記冷却装置は、濾過器及び冷風パイプを備え、該濾過器は、案内パイプを介して熱風装置と連通するように取り付けられ、該冷風パイプは、冷却空気送入端を介して案内パイプと連通すると共に、冷却空気送出端を介して加熱カバーの空気進入口の上方に位置するように熱風装置に取り付けられ、該冷却空気送出端からの風が空気進入口を通してチャンバーに送られることが好ましい。
【０００８】
かかる熱風式アーバーヒーターにおいて、
前記調整部に細長状の調整穴が横方向に形成され、
前記支持部材は、調整穴に沿って移動可能にベースに設置される移動部材を備えることが好ましい。
【０００９】
かかる熱風式アーバーヒーターにおいて、
前記移動部材は、貫通穴と、結合ブロックと、２つの固定ボルトを備え、該貫通穴は、横方向へ移動可能にベースの調整穴に取り付けられ、上下方向に貫通する２つの固定穴が間隔をおいて形成され、該結合ブロックは、貫通穴の下方に対応するようにベースの底部に取り付けられ、該結合ブロックにおける２つの貫通穴に対応する箇所にそれぞれネジ穴が形成され、該２つの固定ボルトはそれぞれ、貫通穴の固定穴及び調整穴を通って結合ブロックのネジ穴に螺合されることが好ましい。
【００１０】
かかる熱風式アーバーヒーターにおいて、
前記移動部材は、２本のガイド棒を備え、
前記支持部材は、高さ調整部材を備え、該高さ調整部材は、２本のガイド棒に環装するように、上下移動可能に移動部材に取り付けられることが好ましい。
【００１１】
かかる熱風式アーバーヒーターにおいて、前記高さ調整部材は、摺動部と、クランププレートと、ばねを備え、該摺動部は、２本のガイド棒に環装され、該摺動部の底面に当接凹部が凹設され、該クランププレートは、一方のガイド棒に環装されると共に、当接凹部に位置するように枢動可能に摺動部に取り付けられ、該ばねは、摺動部の当接凹部とクランププレートとの間に取り付けられることが好ましい。
【００１２】
かかる熱風式アーバーヒーターにおいて、前記支持部材は、高さ調整補助部材を備え、該高さ調整補助部材は、カバーと、組立部と、調節バネを備え、該カバーは、貫通穴と同期に移動すると共に、ガイド棒の周囲の一部をカバーするように貫通穴に固定され、該組立部は、２本のガイド棒の上端に固定され、該調節バネは、一端が延出して摺動部と連接するように組立部の内部に巻き取られることが好ましい。
【００１３】
かかる熱風式アーバーヒーターにおいて、前記熱風装置は、加熱カバーの周囲に保護フードが配置され、該保護フードは、上下方向に間隔をおいて配置するように隙間を構成する、複数の保護バーを備えることが好ましい。
【考案の効果】
【００１４】
本考案に係る熱風式アーバーヒーターは、熱風装置と冷却装置とが組み合わされることにより、両方の機能を兼ね備えることから、電気ヒーターと冷却機構とを別々に設置する必要がないので、そのスペースを有効的に利用することができ、また、加熱または冷却を行う時、アーバーを電気ヒーターや冷却機構へ移動させる必要がないので、操作上利便性が高い。
【図面の簡単な説明】
【００１５】
【図１】本考案に係る熱風式アーバーヒーターの斜視図である。
【図２】本考案に係る熱風式アーバーヒーターの部分断面正面図である。
【図３】本考案に係る熱風式アーバーヒーターにおける高さ調整部材を示す他の部分断面正面図である。
【図４】本考案に係る熱風式アーバーヒーターの部分断面側面図である。
【図５】本考案に係る熱風式アーバーヒーターの背面図である。
【図６】本考案に係る熱風式アーバーヒーターにおける移動部材を示す他の部分断面正面図である。
【図７】本考案に係る熱風式アーバーヒーターの使用状態を示す部分断面正面説明図である。
【図８】本考案に係る熱風式アーバーヒーターの使用状態を示す部分断面側面説明図である。
【考案を実施するための形態】
【００１６】
図１乃至図４に示すように、本考案に係る熱風式アーバーヒーターは、ベース１０と、置き台２０と、支持部材３０と、熱風装置４０と、冷却装置５０を有する。
【００１７】
前記ベース１０は、細長状のプレートであり、一側に置き部１１が、他側に調整部１２が設けられ、該調整部１２に、調整穴１２１が横方向、すなわち、ベース１０の長手方向に沿って形成され、前記置き台２０は、中空状の円筒であり、ベース１０の置き部１１に取り付けられ、その上面に、切削工具を置くための置き穴２１が形成される。
【００１８】
図１及び図３に示すように、前記支持部材３０は、ベース１０の調整部１２に設置され、移動部材３１と、高さ調整部材３２と、高さ調整補助部材３３を有し、そのうち、移動部材３１は、貫通穴３１１と、結合ブロック３１２と、２つの固定ボルト３１３と、２本のガイド棒３１４を備え、該貫通穴３１１は、横方向へ移動可能にベース１０の調整穴１２１に取り付けられると共に、上下方向に貫通する２つの固定穴３１１１が間隔をおいて形成され、該結合ブロック３１２は、貫通穴３１１の下方に対応するようにベース１０の底部に取り付けられると共に、該２つの貫通穴３１１と対応する箇所にそれぞれネジ穴３１２１が形成され、該２つの固定ボルト３１３はそれぞれ、貫通穴３１１の固定穴３１１１から調整穴１２１を通って結合ブロック３１２のネジ穴３１２１に螺合され、そのうち２本の固定ボルト３１３を緩めると、貫通穴３１１が調整穴１２１に沿って移動するので、移動部材３１の位置を調整することができる。また、前記２本のガイド棒３１４は、間隔をおいて貫通穴３１１の上面に設置される。
【００１９】
図１、図２、図４に示すように、前記高さ調整部材３２は、２本のガイド棒３１４に環装するように、上下移動可能に移動部材３１に取り付けられ、摺動部３２１と、クランププレート３２２と、ばね３２３を備え、そのうち摺動部３２１は、２本のガイド棒３１４に環装され、その底面に当接凹部３２１１が凹設され、該クランププレート３２２は、一方のガイド棒３１４に環装されると共に、当接凹部３２１１に位置するように枢動可能に摺動部３２１に枢設され、該ばね３２３は、摺動部３２１の当接凹部３２１１の底面とクランププレート３２２の上面との間に取り付けられ、該クランププレート３２２は、ばね３２３の付勢力を受けながら摺動部３２１に巻き取られることから、摺動部３２１に対して傾斜状となり、また、該クランププレート３２２は、一方のガイド棒３１４に環装されることから、該ガイド棒３１４との摩擦力により結合ブロック３１２に対して所定の高さで停止させて位置決めることができる。
【００２０】
図１、図４、図５に示すように、前記高さ調整補助部材３３は、貫通穴３１１及び２本のガイド棒３１４に取り付けられ、カバー３３１と、組立部３３２と、調節バネ３３３を備え、該カバー３３１は、貫通穴３１１と同期に移動すると共に、断面Ｌ字形を呈してガイド棒３１４の周囲の一部をカバーするように、貫通穴３１１に固定され、該組立部３３２は、２本のガイド棒３１４の上端に固定され、該調節バネ３３３は、一端が下方へ延出して摺動部３２１と連接固定するように組立部３３２の内部に巻き取られることにより摺動部３２１を２本のガイド棒３１４に対して所定の高さで停止させて位置決めることができる。
【００２１】
図１乃至図３に示すように、前記熱風装置４０は、固定座４１と、ホットエアガン４２と、加熱カバー４３と、上蓋４４と、下蓋４５と、空気均一化カバー４６と、保護フード４７を備え、該固定座４１は、円形の座体であり、摺動部３２１に固定され、該ホットエアガン４２は、固定座４１に貫設され、熱風送入端４２１及び熱風送出端４２２を備え、該加熱カバー４３は、ホットエアガン４２の熱風送入端４２１に連接固定され、その内部にチャンバー４３１が形成され、その上部に空気進入口４３２がチャンバー４３１と連通するように形成される。
【００２２】
前記上蓋４４及び下蓋４５はそれぞれ、加熱カバー４３の上端及び底端に組み合わされることにより、該上蓋４４及び下蓋４５で加熱カバー４３を密封し、該上蓋４４に切削工具を置くための上開口４４１が形成され、該下蓋４５にアーバーを挿設させるための下開口４５１が形成される。前記空気均一化カバー４６は、錐状カバーであり、その外周面に複数の通気穴４６１が形成される。前記保護フード４７は、加熱カバー４３の周囲に配置され、複数の保護バー４７１を備え、それらの保護バー４７１はそれぞれ、上下に間隔をおいて配置され、それぞれの間に隙間が構成され、網状を呈するものである。この保護フード４７を有すれば、加熱を行う時、不注意による加熱カバー４３との接触を防げるので、使用上の安全性を向上させることができる。
【００２３】
図１及び図３に示すように、前記冷却装置５０は、熱風装置４０の固定座４１に取り付けられ、濾過器５１及び冷風パイプ５２を備え、該濾過器５１は空気中の水分を取り出すものであり、固定座４１に固定されると共に、案内パイプ５１１を備え、該該冷風パイプ５２は固定座４１に配管され、冷却空気送入端５２１及び冷却空気送出端５２２を備え、該冷却空気送入端５２１は、案内パイプ５１１と連通するように固定座４１に取り付けられ、該冷却空気送出端５２２は、加熱カバー４３の空気進入口４３２の上方に位置するように熱風装置４０に取り付けられ、この構成によれば、該冷却空気送出端５２２からの風を、空気進入口４３２からチャンバー４３１へ送ることができる。
【００２４】
図１乃至図３に示すように、アーバー６０は、置き台２０に挿設され、切削工具７０は、上蓋４４の上開口４４１を通ってアーバー６０の上面にある装着穴６１に挿設される。切削工具７０を交換する場合は、ホットエアガン４２を駆動して熱風送出端４２２からの熱風を、錐状を呈する複数の通気穴４６１を有する空気均一化カバー４６からアーバー６０へ向って噴射することから、アーバー６０を均一に加熱することができ、、アーバー６０の装着穴６１を熱膨張させるので、使い終わった切削工具７０をアーバー６０の装着穴６１から取り外し、使用したい他の切削工具７０をアーバー６０の装着穴６１に取り付け、その後、冷却装置５０を駆動して冷風パイプ５２からの乾燥した冷風を利用してアーバー６０を冷却し、装着穴６１の内径が冷間圧縮の原理により小さくすれば、切削工具７０を強固にアーバー６０に装着することができる。
【００２５】
本考案に係る熱風式アーバーヒーターは、熱風装置４０と冷却装置５０とを組み合わせることにより両方の機能を兼ね備えることから、電気ヒーターと冷却機構とが別個に配置されることから、スペースを有効に利用することができると共に、既存の加熱及び冷却を行う時に、アーバー６０を電気ヒーターまたは冷却機構へ移動させる必要がないので、操作上利便性が非常に高い。
【００２６】
さらに、図６に示すように、本考案に係る熱風式アーバーヒーターにおいて、サイズが異なるホットエアガン４２Ａを交換する場合は、まず固定ボルト３１３を緩めて貫通穴３１１を調整穴１２１に沿って横方向に移動させ、支持部材３０の位置を調整することにより、熱風装置４０と置き台２０との距離を調節することができる。また、アーバー６０の高さを調整する場合は、図７及び図８に示すように、クランププレート３２２を押し上げてガイド棒３１４から離間させ、ガイド棒３１４とクランププレート３２２との間の摩擦力をなくし、調節バネ３３３を引いて摺動部３２１の高さに調節することにより、固定座４１をアーバー６０のサイズと対応する高さに移動させる。
【符号の説明】
【００２７】
１０ ベース
１１ 置き部
１２ 調整部
１２１ 調整穴
２０ 置き台
２１ 置き穴
３０ 支持部材
３１ 移動部材
３１１ 貫通穴
３１１１ 固定穴
３１２ 結合ブロック
３１３ 固定ボルト
３１４ ガイド棒
３２ 高さ調整部材
３２１ 摺動部
３１２１ ネジ穴
３２２ クランププレート
３２１１ 当接凹部
３２３ ばね
３３ 高さ調整補助部材
３３１ カバー
３３２ 組立部
３３３ 調節バネ
４０ 熱風装置
４１ 固定座
４２、４２Ａ ホットエアガン
４２１ 熱風送入端
４２２ 熱風送出端
４３ 加熱カバー
４３１ チャンバー
４３２ 空気進入口
４４ 上蓋
４４１ 上開口
４５ 下蓋
４５１ 下開口
４６ 空気均一化カバー
４６１ 通気穴
４７ 保護フード
４７１ 保護バー
５０ 冷却装置
５１ 濾過器
５１１ 案内パイプ
５２ 冷風パイプ
５２１ 冷却空気送入端
５２２ 冷却空気送出端
６０ アーバー
６１ 装着穴
７０ 切削工具
【図１】
0003214754.tif 000003
【図２】
0003214754.tif 000004
【図３】
0003214754.tif 000005
【図４】
0003214754.tif 000006
【図５】
0003214754.tif 000007
【図６】
0003214754.tif 000008
【図７】
0003214754.tif 000009
【図８】
0003214754.tif 000010